(57)【要約】【課題】簡単な構成でスカイプ通信を優先するとともにスカイプ通信不可の場合に手間をかけず着信先を携帯電話機又は固定電話機に自動切替可能にする。【解決手段】携帯電話番号にヘッダーを付加してユニークなスカイプ名を取得しておく。例えば、入力番号０９０１２３４５６７８にヘッダー「ＩＮ４Ｓ」を付加して通話先スカイプ名ＩＮ４Ｓ０９０１２３４５６７８に変換し、通話先がアクティブであればスカイプ通信を実行し、そうでなければ該入力番号にヘッダ「＋８１」を付加してスカイプアウト用電話番号＋８１０９０１２３４５６７８に変換し、スカイプアウト通信を実行する。【選択図】図１
2008153757.tif 000002
【特許請求の範囲】
【請求項１】
ＩＰネットワーク上で、スーパーノードによる呼制御の援助を受け、着側端末との間で音声パケットを送受信する端末装置において、
入力手段と、
モディファイアと、スカイプアウト識別符号及び国番号からなるヘッダーとが格納される記憶手段と、
該入力手段から入力された番号に該モディファイアを付加して通話先スカイプ名に変換し、スーパーノードから受信したデータに基づき該記憶装置内に作成されたコンタクトリストを参照して、通話先がアクティブであるか否かを判定し、肯定判定した場合には該通話先スカイプ名を含む接続要求を該スーパーノードに供給し、否定判定した場合には該入力された番号に該ヘッダーを付加してスカイプアウト用電話番号に変換したものを含むスカイプアウト接続要求を該スーパーノードに供給する制御手段と、
を有することを特徴とする端末装置。
【請求項２】
該記憶装置には、各モディファイアで識別されるグループに属するユーザの電話番号が、該モディファイアと対応付けられて格納されていることを特徴とする請求項１に記載の端末装置。
【請求項３】
ＩＰネットワーク上で、スーパーノードによる呼制御の援助を受け、着側端末との間で音声パケットを送受信する端末装置の記憶装置に格納されるデュアルナンバーサービスプログラムにおいて、プロセッサに対し、
入力手段から入力された番号に、該記憶装置に格納されたモディファイアを付加させて通話先スカイプ名に変換させ、
スーパーノードから受信したデータに基づき該記憶装置内に作成されたコンタクトリストを参照させて、通話先がアクティブであるか否かを判定させ、
肯定判定した場合には該通話先スカイプ名を含む接続要求を該スーパーノードに供給させ、
否定判定した場合には該入力された番号に、該記憶装置に格納された、スカイプアウト識別符号と国番号とからなるヘッダーを付加させてスカイプアウト用電話番号に変換したものを含むスカイプアウト接続要求を、該スーパーノードに供給させる、
ステップを有することを特徴とするデュアルナンバーサービスプログラム。
【発明の詳細な説明】
【技術分野】
【０００１】
本発明は、端末装置及びこれにインストールされるデュアルナンバーサービスプログラムに係り、特に、ＩＰネットワーク上で、通話先リストを管理するスーパーノードの呼制御による援助を受けて、音声パケットを通話先端末又はスカイプアウトゲートウェイとの間で送受信する端末装置及びデュアルナンバーサービスプログラムに関する。
【背景技術】
【０００２】
下記特許文献１には、 携帯通信端末にＷＬＡＮのＩＰ電話部と携帯電話部とを備えてデュアル通信システムを構成することが開示されている。
【０００３】
このシステムでは、携帯通信端末のＩＰ電話部に着信不能な場合に、予め登録された携帯電話部電話番号に自動転送される。
【特許文献１】特開２００６−８０７０６号公報
【発明の開示】
【発明が解決しようとする課題】
【０００４】
しかしながら、携帯電話交換網に対してＩＰ電話部の電話番号を登録し、ＩＰ電話網に対して携帯電話部の電話番号を登録しなければならないので、携帯電話交換網とＩＰ電話網とが別会社のものである場合、実現性に乏しく、また、登録の申請、工事及び確認に複数人が関与するので煩雑である。さらに、登録先が網内の何であるのか記載されておらず、スカイプ（「Skype」は登録商標）についても全く開示されていない。
【０００５】
本発明の目的は、このような問題点に鑑み、簡単な構成でスカイプ通信を優先するとともにスカイプ通信不可の場合に手間をかけず着信先を携帯電話機又は固定電話機に自動切替可能な端末装置及びデュアルナンバーサービスプログラムを提供することにある。
【課題を解決するための手段】
【０００６】
本発明の一態様では、ＩＰネットワーク上で、スーパーノードによる呼制御の援助を受け、着側端末との間で音声パケットを送受信する端末装置において、
入力手段と、
モディファイアと、スカイプアウト識別符号及び国番号からなるヘッダーとが格納される記憶手段と、
該入力手段から入力された番号に該モディファイアを付加して通話先スカイプ名に変換し、スーパーノードから受信したデータに基づき該記憶装置内に作成されたコンタクトリストを参照して、通話先がアクティブであるか否かを判定し、肯定判定した場合には該通話先スカイプ名を含む接続要求を該スーパーノードに供給し、否定判定した場合には該入力された番号に該ヘッダーを付加してスカイプアウト用電話番号に変換したものを含むスカイプアウト接続要求を該スーパーノードに供給する制御手段とを有する。
【発明の効果】
【０００７】
上記態様の構成によれば、入力番号にモディファイアを付加して通話先スカイプ名に変換し、通話先がアクティブであればスカイプ通信を実行し、そうでなければ該入力番号にヘッダーを付加してスカイプアウト用電話番号に変換し、スカイプアウト通信を実行するので、ＩＰ網の呼制御装置に対し不在時のスカイプアウト用電話番号を登録する必要が無く、しかも端末側の簡単なソフトウエア構成のみにより携帯電話又は固定電話への不在時自動切替制御ができ、これにより、安価にユーザの手間を省くとともに通話成功率を向上させることができるという効果を奏する。しかも、通話料無料のスカイプ通信を先に試みるので、ユーザの通話料を節減できるという効果を奏する。
【実施例１】
【０００８】
図３は、スカイプ用ハンドヘルド型無線端末１０のハードウェア概略ブロック図である。
【０００９】
この端末１０では、制御部１１にＣＯＤＥＣ１２、無線ＬＡＮインターフェイス１３、押ボタンスイッチアレイ１４、ＬＣＤパネル１５及びフラッシュメモリ１６が結合されている。制御部１１は、ＣＰＵと、プログラム及びデータが格納されたメモリと、入出力インターフェイスとを備えて構成されている。これらＣＰＵ、メモリ及び入出力インターフェイスの一部又は全部は例えば、ワンチップマイクロコンピュータで構成されている。
【００１０】
ＣＯＤＥＣ１２には、マイク１７及びスピーカ１８が結合されている。ＣＯＤＥＣ１２は、マイク１７から入力されたアナログ音声信号を符号化して制御部１１に供給し、制御部１１から供給される音声データを復号してアナログ化し、ローパスフィルタを介してスピーカ１８に供給する。
【００１１】
制御部１１は、ＣＯＤＥＣ１２からの音声データをＩＰパケット化して無線ＬＡＮインターフェイス１３に供給し、無線ＬＡＮインターフェイス１３からのＩＰパケットを分解、連結して元の音声データを再構成し、これをＣＯＤＥＣ１２に供給する。制御部１１のメモリには、後述の図１の処理を行う、本発明の機能を追加するために拡張されたスカイププログラムが格納されている。
【００１２】
無線ＬＡＮインターフェイス１３にはアンテナ１９が結合されており、このインターフェイス１３は、制御部１１からのＩＰパケットに送信元及び宛先のマックアドレス等を付加してイーサネットフレーム（「イーサネット」は登録商標）にし、これを変調してアンテナ１９から電波の形で送信する。無線ＬＡＮインターフェイス１３はまた、アンテナ１９で受信した信号を復調し、そのイーサネットフレームの宛先マックアドレスが自己のものと一致する場合、このフレームを受信しＩＰパケットを取り出して制御部１１に供給する。
【００１３】
押ボタンスイッチアレイ１４は、０〜９の数字を入力するためのナンバーボタンと、発信ボタンと、切ボタンとを備えている。
【００１４】
ＬＣＤパネル１５は、制御部１１からのデータに基づいて、通話先のスカイプ表示名、無線通信の圏内であるか否か、及び、電池切れ等の情報を表示するためのものである。
【００１５】
フラッシュメモリ１６には、ヘッダーと、ヘッダー毎の１つ以上の通話先携帯電話番号とが対応して格納されている。このヘッダーには、入力番号の頭側に付加して正規の（省略されていない）スカイプ名に変換するための第１のヘッダーと、該入力番号の頭側に付加してスカイプアウト用の正規の携帯電話番号に変換するための、スカイプアウト識別子及び国番号からなる第２のヘッダーとがある。換言すれば、確定している通話先携帯電話番号に第１のヘッダーを付加してユニークなスカイプ名を通話先が取得する。例えば、通話先携帯電話番号が「０９０−１２３４−５６７８」である場合、スカイプ名「ＩＮ４Ｓ０９０１２３４５６７８」が取得できれば、第１のヘッダーは「ＩＮ４Ｓ」であり、第２のヘッダーは通話先が日本国内であれば「＋８１」又は「００８１」である。図２は、会社名などのグループ名を第１のヘッダーとし、各グループに属する電話番号を対応付けたテーブルであり、このデータは、プログラムに従い押ボタンスイッチアレイ１４を操作して入力することにより、フラッシュメモリ１６に格納される。
【００１６】
図４に示す如く、無線ルータ１００及び２００が有線でインターネット４０に結合され、それぞれにハンドヘルド型無線端末１０及び２０が無線で結合される。図４中のスーパーノード４１〜４４は、スカイプクライアントの中から選ばれたスーパーノードを示している。ログインサーバ５０は、スカイプ・テクノロジーズ（Ｓｋｙｐｅ  Ｔｅｃｈｎｏｌｏｇｉｅｓ）社が運用するログインサーバである。
【００１７】
インターネット４０は、スカイプアウトゲートウェイ５１を介して携帯電話交換網６０に結合され、この携帯電話交換網６０に基地局６１が結合され、基地局６１と携帯電話機７０との間で電波を介した通信が行われる。
【００１８】
図１は、端末又は携帯電話機に自動選択的に発信するデュアルナンバーサービスプログラムがプラグインされたスカイププログラムの動作を示すフローチャートである。なお、ハンドヘルド型無線端末２０と携帯電話機７０の所有者は同一であるとする。また、端末１０はログインサーバ５０にログイン済みであるとする。以下、括弧内は図中のステップ識別符号を示す。
【００１９】
（Ｓ０）ユーザは、ハンドヘルド型無線端末１０の押ボタンスイッチアレイ１４上のナンバーボタンを押下して、携帯電話機７０の番号０９０１２３４５６７８を入力し、次いで押ボタンスイッチアレイ１４上の発信ボタンを押下する。この入力は、短縮ボタンの押下又は着信履歴の行選択による入力であってもよい。
【００２０】
（Ｓ１）ハンドヘルド型無線端末１０の制御部１１は、入力された番号に第１のヘッダー、例えば上記「ＩＮ４Ｓ」を付加して、ハンドヘルド型無線端末２０の所有者のスカイプ名ＩＮ４Ｓ０９０１２３４５６７８に変換する。
【００２１】
（Ｓ２）このスカイプ名を、コンタクトリストから検索する。このコンタクトリストは、ハンドヘルド型無線端末１０のユーザが押ボタンスイッチアレイ１４を操作して「コンタクトの追加」を行ったものであり、通話先のスカイプ名にスカイプ表示名及び接続状態が対応付けられて、フラッシュメモリ１６内のメモリに格納されている。
【００２２】
ここに接続状態とは、「ログイン状態」であり、‘オフライン’、‘オンライン’、‘一時退席中’などがあり、呼出可能な‘オンライン’をアクティブ状態、その他の状態をインアクティブ状態と称す。スカイプを立ち上げると、ログインサーバ５０に自動ログインした後、コンタクトリストに記載されているスカイプ名がスーパーノードに自動供給されて、スーパーノードによりこれらスカイプ名の接続状態が調べられ、その結果がハンドヘルド型無線端末１０に送信され、制御部１１はこれをコンタクトリストの対応部分に書き込む。この接続状態は、定期的に更新される。このような処理は、スカイププログラムにより行われる。
【００２３】
（Ｓ３）このスカイプ名の接続状態がアクティブであればステップＳ４へ進み、そうでなければステップＳ９へ進む。
【００２４】
（Ｓ４）制御部１１は、ＬＣＤパネル１５に、このスカイプ名に対応したスカイプ表示名を表示させる。
【００２５】
（Ｓ５）フラッシュメモリ１６に格納されている発信側スカイプ名と、ステップＳ１で合成した通話先スカイプ名とを、接続要求とともにスーパーノード宛に送信する。
【００２６】
（Ｓ６、Ｓ７）このスーパーノードによる呼制御の援助を受け、呼び出しが成功すれば、通話先端末との間で直接又はスーパーノードを介し、音声パケットの送受信を行い、図１の処理を終了する。
【００２７】
（Ｓ８）ハンドヘルド型無線端末１０の制御部１１は、ステップＳ１で入力された番号に第２のヘッダー、例えば上記「＋８１」を付加して、国番号付きのスカイプアウト用電話番号「＋８１０９０１２３４５６７８」に変換し、これをＬＣＤパネル１５に表示させる。
【００２８】
（Ｓ９）フラッシュメモリ１６に格納されている発信側スカイプ名と、ステップＳ８で合成した通話先電話番号とを、接続要求とともにスーパーノード宛に送信する。
【００２９】
（Ｓ６、Ｓ７）このスーパーノードによる呼制御の援助を受け、携帯電話機７０に対する呼出が成功すれば、スカイプアウトゲートウェイ５１との間で音声パケットの送受信を行う。中継点としてのスカイプアウトゲートウェイ５１はさらに、信号形式を変換して携帯電話交換網６０及び基地局６１を介し携帯電話機７０との間で信号を送受信する。これにより、端末１０と携帯電話機７０との間で通話が行われ、図１の処理を終了する。
【００３０】
本発明の実施例によれば、入力番号にモディファイアとしてのヘッダーを付加して通話先スカイプ名に変換し、通話先がアクティブであればスカイプ通信を実行し、そうでなければ該入力番号にヘッダーを付加してスカイプアウト用電話番号に変換し、スカイプアウト通信を実行するので、スーパーノードに対し不在時のスカイプアウト用電話番号を登録することなく、端末側の簡単なソフトウエア構成のみにより携帯電話への不在時自動切替制御ができ、これにより、安価にユーザの手間を省くとともに通話成功率を向上させることができるという効果を奏する。しかも、通話料無料のスカイプ通信を先に試みるので、ユーザの通話料を節減できるという効果を奏する。
【００３１】
なお、本発明には外にも種々の変形例が含まれる。
【００３２】
例えば、上記実施例では複数の第１のヘッダーがフラッシュメモリ１６に格納されている場合を説明したが、１つの第１ヘッダーのみ社内で用いる構成であってもよい。この場合、この第１ヘッダーに対応した電話番号をフラッシュメモリ１６に格納させなくてもよい。
【００３３】
また、モディファイアは、ヘッダーに限定されず、電話番号に対するフッタ又は、電話番号に対するヘッダーとフッタの両方であってもよい。
【００３４】
さらに、スカイプ用ハンドヘルド型無線端末の替わりに固定端末を用いたり、携帯電話機の替わりに固定電話機を用いたりした構成であってもよいことは勿論である。
【００３５】
また、スカイプ表示名を表示する替わりにこれと対応させた携帯電話番号を表示させることにより、ユーザに対し通常の電話と同じように見せかけて違和感を低減させる構成であってもよい。
【図面の簡単な説明】
【００３６】
【図１】端末又は携帯電話機に自動選択的に発信するデュアルナンバーサービスプログラムがプラグインされたスカイププログラムの動作を示すフローチャートである。
【図２】スカイプ名に変換するためのグループ識別ヘッダーと、ヘッダー毎の携帯電話番号とが対応付けられた表を示す説明図である。
【図３】スカイプ用ハンドヘルド型無線端末のハードウェア概略ブロック図である。
【図４】図１のフローチャートで使用される通信網の概略図である。
【符号の説明】
【００３７】
１０、２０  ハンドヘルド型無線端末
１００、２００  無線ルータ
１１  制御部
１２  ＣＯＤＥＣ
１３  無線ＬＡＮインターフェイス
１４  押ボタンスイッチアレイ
１５  ＬＣＤパネル
１６  フラッシュメモリ
１７  マイク
１８  スピーカ
１９  アンテナ
４０  インターネット
４１〜４４  スーパーノード
５０  ログインサーバ
５１  スカイプアウトゲートウェイ
６０  携帯電話交換網
６１  基地局
【図１】
2008153757.tif 000003
【図２】
2008153757.tif 000004
【図３】
2008153757.tif 000005
【図４】
2008153757.tif 000006